(57)【要約】【課題】ハウス用送風機の風量を高価な三相用の摺動式電圧調整器や、ノイズが発生するインバーターを使用することなく、１個の安価な単相用摺動式電圧調整器を使用することにより、無段階での精密に調整できるようにする。【解決手段】送風機を回転駆動する三相２００Ｖの誘導モーターに入力される電源電圧を、その三相のうちの一相だけに接続配線した１個の単相用摺動式電圧調整器によって、無段調整できるように定めた。【選択図】  図１
0003117110.tif 000002
【実用新案登録請求の範囲】
【請求項１】
送風機を回転駆動する三相２００Ｖの誘導モーターに入力される電源電圧を、その三相のうちの一相だけに接続配線した１個の単相用摺動式電圧調整器によって、無段調整できるように定めたことを特徴とするハウス用送風機の風量調整装置。
【請求項２】
送風機回転駆動用誘導モーターをトルクモーターとし、摺動式電圧調整器に電源電圧の降下限度位置決めストッパーを設けたことを特徴とする請求項１記載のハウス用送風機の風量調整装置。
【請求項３】
複数の送風機回転駆動用誘導モーターと摺動式電圧調整器との相互間へ、その誘導モーター毎の個別開閉スイッチを並列状態に接続配線したことを特徴とする請求項１記載のハウス用送風機の風量調整装置。
【考案の詳細な説明】
【技術分野】
【０００１】
本考案はハウス用送風機の風量調整装置に関する。
【背景技術】
【０００２】
一般に、農作物を栽培するビニールハウス内には、三相２００Ｖの交流誘導モーターを回転駆動源とする送風機（循環扇）の複数が設置されており、これによってハウス内の温度ムラや空気の滞溜を無くすほか、農作物の生育を促進するための微風が与えられている。
【０００３】
このようなハウス用送風機の風量を調整するに当り、従来からトランス又は三相用摺動式電圧調整器によって、その誘導モーターに供給する電源電圧を変化させる方式と、インバーターにより調整された出力周波数の電力を誘導モーターへ供給して、その回転速度を変化させる方式との２種が採用されている通例である。
【考案の開示】
【考案が解決しようとする課題】
【０００４】
ところが、上記トランスによる電源電圧の変化方式では、その２次側から分岐するタップを手動操作して切り換える必要があるため、送風機の風量を無段階での精密に調整することができず、農作物に対してハウス外の自然な風と同じ有効な微風を与えられないのである。
【０００５】
この点、三相用の摺動式電圧調整器を使えば、送風機の風量を無段階に調整できるが、そのための電圧調整器自身は高価であり、三相２００Ｖ電源回路への接続配線も複雑になる結果、いたづらなコストアップを余儀なくされる。
【０００６】
又、インバーター方式でも送風機の風量を無段階に調整できるが、その調整毎の頻繁にノイズが発生するため、ハウス内での作業者が携帯するラジオに悪影響を及ぼし、その音声の聴き取りが困難になる。
【課題を解決するための手段】
【０００７】
本考案はこのような諸問題の改良を企図しており、その目的を達成するために、請求項１では送風機を回転駆動する三相２００Ｖの誘導モーターに入力される電源電圧を、その三相のうちの一相だけに接続配線した１個の単相用摺動式電圧調整器によって、無段調整できるように定めたことを特徴とする。
【０００８】
又、請求項２では上記請求項１に従属する構成として、送風機回転駆動用誘導モーターをトルクモーターとし、摺動式電圧調整器に電源電圧の降下限度位置決めストッパーを設けたことを特徴とする。
【０００９】
更に、請求項３では同じく請求項１に従属する構成として、複数の送風機回転駆動用誘導モーターと摺動式電圧調整器との相互間へ、その誘導モーター毎の個別開閉スイッチを並列状態に接続配線したことを特徴とする。
【考案の効果】
【００１０】
上記請求項１の構成によれば、三相２００Ｖの送風機回転駆動用誘導モーターへ入力される電源電圧を、１個の安価な単相用摺動式電圧調整器を使って、無段階での精密に調整することができ、その摺動式電圧調整器を三相のうちの一相だけに接続配線すれば足りるため、著しいコストダウンを得られる効果がある。
【００１１】
つまり、ハウス用送風機の羽根はその風洞に内蔵された小型誘導モーターの出力軸へ、直かに嵌め付け一体化されており、ベルトやギヤなどの伝動機構を一切具備せず、言わば無負荷状態のもとで軽く回転駆動されるにとどまるため、上記三相のうちの一相だけに接続配線された１個の単相用摺動式電圧調整器でも、その抵抗により電源電圧を確実に微調整することができ、ハウス外の自然な風と同じ有効な微風も得られるのである。
【００１２】
又、請求項２の構成を採用するならば、上記送風機回転駆動用誘導モーターを特にトルクモーターとして、その回転トルクを上記摺動式電圧調整器により円滑に強弱制御できるほか、その電源電圧の降下し過ぎに起因して、トルクモーターが焼損するおそれを確実に防止し得る効果もある。その電源電圧の降下限度は実際上、約５０Ｖに位置決め設定することが好ましい。
【００１３】
更に、請求項３の構成を採用するならば、三相のうちの一相だけに接続配線された１個の単相用摺動式電圧調整器により、並列する複数の送風機回転駆動用誘導モーターを、すべて同じ電源電圧の調整状態として運転することができるほか、その誘導モーターの各個に対応する開閉スイッチの操作により、希望の送風機だけを停止状態に保っておくこともでき、使用上の利便性が向上する。
【考案を実施するための最良の形態】
【００１４】
以下、図面に基いて本考案の具体的構成を説明すると、そのハウス用送風機のシーケンス制御回路を示した図１において、（１０）は三相３線２００Ｖ交流電源回路の出力端子盤であり、ここにはビニールハウス内に必要な複数（図例では合計３基）の送風機回転駆動用誘導モーター（１１）が、その全体的な並列状態に接続配線されている。茲に誘導モーター（１１）としては、特殊なトルクモーターを採用することが好ましい。
【００１５】
（１２）は上記電源回路のノーヒューズブレーカー、（１３）は同じく接触器接点、（１４）は図示の３位置選択可能なスナップ式電源スイッチであり、これをオン操作すれば、電磁接触器（１５）が励磁され、その接触器接点（１３）が閉じて、上記誘導モーター（１１）が悉く起動する。
【００１６】
又、同じく電源スイッチ（１４）をタイマー運転に切り換え操作すれば、その限時動作接点（１６）が閉じ、予じめタイマー（１７）により設定された一定時間だけ、上記誘導モーター（１１）が運転されるようになっている。（１８）はその運転中に点灯表示するパイロットランプである。
【００１７】
（１９）は上記電源回路の接触器接点（１３）と出力端子盤（１０）との相互間において、その三相のうちの一相だけに接続配線された１個の単相用摺動式電圧調整器（例えば商品名：スライダック）であり、その調整ダイヤル（２０）を回動操作することによって、上記誘導モーター（１１）へ入力される電圧を無段階での精密に調整することができる。（２１）は電圧調整器（１９）の端子盤、（２２）は同じく電圧調整器（１９）の目盛り板、（２３）はその調整ダイヤル（２０）から一体的に張り出す電圧設定指針である。
【００１８】
この点、図１の電圧調整器（１９）は入力２−４、出力２−３と接続配線されており、その摺動面から見て時計方向へ回動操作した時、電圧が上昇し、反時計方向へ回動操作した時、同じく電圧が降下するようになっている。
【００１９】
ハウス用送風機を構成する羽根（２４）のボスは図２、３に示すように、その回転駆動用誘導モーター（１１）の出力軸へ、ギヤやベルトなどの伝動機構を介さず、直かに嵌め付け一体化されており、無負荷状態での軽く回転するに過ぎないため、上記三相交流電源回路の一相だけに単相用電圧調整器（１９）の１個を接続配線すれば足り、その抵抗（電圧差）に基いて、上記誘導モーター（１１）の回転トルクを確実に低弱化でき、送風機の風量を微調整し得るのである。
【００２０】
但し、上記誘導モーター（１１）に入力される電圧が降下し過ぎると、残る健全な二相に過電流が流れて、その誘導モーター（１１）の焼損事故を招くおそれがあるため、上記電圧調整器（１９）により設定される電圧の降下限度を好ましくは約５０Ｖとして、その調整ダイヤル（２０）をこれ以下には回動操作できないように、図外の位置決めストッパーを内蔵設置しておく。
【００２１】
更に、（２５）は上記誘導モーター（１１）毎の個別開閉スイッチであり、その誘導モーター（１１）と対応する複数（図例では合計３個）が、上記電源回路における電圧調整器（１９）と出力端子盤（１０）との相互間へ、その全体的な並列状態に接続配線されている。
【００２２】
その誘導モーター（１１）毎の個別開閉スイッチ（２５）を選択操作することにより、栽培する農作物やこれに与える環境条件などとの関係上、その希望する必要な送風機回転駆動用誘導モーター（１１）だけを個別運転することもできるようになっているのである。
【００２３】
尚、上記電圧調整器（１９）における定格出力電流の設定次第によって、送風機回転駆動用誘導モーター（１１）の設置台数を増加することができる。上記電源回路の組み込まれた制御盤（図示省略）は、ビニールハウスの出入口付近に設置され、その制御盤上から集中的に手動操作されることは言うまでもない。
【００２４】
本考案の使用に当っては、上記電圧調整器（１９）の調整ダイヤル（２０）を回動操作することにより、送風機回転駆動用誘導モーター（１１）へ入力される電源電圧を希望通りに調整セットしておき、電源スイッチ（１４）をオン操作すれば良い。
【００２５】
そうすれば、上記電源回路の電磁接触器（１５）が付勢され、その接触器接点（１３）が閉じて、誘導モーター（１１）が悉く起動するため、その送風機から予じめ調整された風量が発生し、栽培する農作物に常時最適の送風作用を与えることができ、特にハウス外の自然な風と同じ微風も得られる点で、顕著な効果がある。
【００２６】
その場合、上記誘導モーター（１１）毎の個別開閉スイッチ（１５）を選択操作することにより、希望の誘導モーター（１１）だけを運転しても、又上記電源スイッチ（１４）をタイマー運転に切り換え操作することにより、その誘導モーター（１１）を一定時間だけ限時運転しても、上記電圧調整器（１９）により予じめ無段階での精密に調整された風量を得ることができ、著しく便利である。
【００２７】
何れにしても、上記電圧調整器（１９）は単相用として安価であり、しかも三相交流電源回路の一相だけに１個接続配線すれば足りるため、この種送風機の風量調整装置として大幅なコストダウンを図ることができ、ノイズを発生しないこととも相俟って、ハウス内での作業者に有効な考案であると言える。
【図面の簡単な説明】
【００２８】
【図１】本考案に係るハウス用送風機のシーケンス制御回路図である。
【図２】送風機回転駆動用誘導モーターとその電圧調整器との接続配線状態を示す正面図である。
【図３】送風機を抽出して示す半欠截側面図である。
【符号の説明】
【００２９】
（１０）・出力端子盤
（１１）・送風機回転駆動用誘導モーター
（１２）・ノーヒューズブレーカー
（１３）・接触器接点
（１４）・電源スイッチ
（１５）・電磁接触器
（１６）・限時動作接点
（１７）・タイマー
（１８）・パイロットランプ
（１９）・電圧調整器
（２０）・調整ダイヤル
（２１）・端子盤
（２２）・目盛り板
（２３）・指針
（２４）・羽根
（２５）・個別開閉スイッチ
【図１】
0003117110.tif 000003
【図２】
0003117110.tif 000004
【図３】
0003117110.tif 000005